(57)【要約】【課題】  カウンター天板に平面視Ｌ字状の切欠きカット加工を容易におこなってキッチンボード等の什器を併設できるカウンターへの什器設置構造を提供すること。【解決手段】  カウンター天板１に平面視Ｌ字状の切欠き２を設けてキッチンボード等の什器５を併設させるカウンターへの什器設置構造である。切欠き２をＬ字の一辺２１から他辺２２へ連続カットし、その切断線が該一辺２１と他辺２２との交点２３からオーバーランしつつ曲線状に他辺に合致するように形成する。【選択図】図１
2005334168.tif 000002
【特許請求の範囲】
【請求項１】
カウンター天板に平面視Ｌ字状の切欠きを設けてキッチンボード等の什器を併設させるカウンターへの什器設置構造であって、
前記切欠きをＬ字の一辺から他辺へ連続カットし、その切断線が該一辺と他辺との交点からオーバーランしつつ曲線状に他辺に合致するように形成することを特徴とするカウンターへの什器設置構造。
【請求項２】
前記切欠きの曲線状部分を遮蔽する遮蔽部材を配設させて成ることを特徴とする請求項１に記載のカウンターへの什器設置構造。
【発明の詳細な説明】
【技術分野】
【０００１】
本発明は、システムキッチンのカウンターにキッチンボード等の什器を併設させるカウンターへの什器設置構造に関する。
【背景技術】
【０００２】
従来より、この種の設置構造では、図４に示すように、人造大理石と呼ばれている樹脂製のカウンター天板１００に平面視Ｌ字状の切欠き１０１を設けて、シンクや、キッチンボード等の什器１０２を併設させるようにしている。また、当該カウンター天板１００と什器１０２との接合部分の切欠きには、角材等の遮蔽部材１０３、１０４を用いて接合部分を遮蔽するようにしている。このＬ字状の接合部分となる切欠きの一辺と他辺とが目立たないように遮蔽するためには、通常、縦、横の２つの遮蔽部材１０３、１０４を用いるという構成が採用されている。 しかしながら、この方式では、縦、横２つの接合部分に遮蔽部材をそれぞれ設けるようになっているので、美観上好ましいとは言えない。
【０００３】
ところで、上記の樹脂製カウンター天板において、熱発生源取り付け用の開口部を有するものにあっては、熱発生源の使用により発生する熱により暖められたときに伸びようとし、また、熱発生源の使用を止めると、暖められた樹脂製カウンター天板は外気により冷却されて雰囲気温度に戻り縮んでいく。すなわち、樹脂製カウンター天板は、熱発生源の使用による温度変化に伴い伸び縮みすることとなり、従来より、この伸縮の大きいときには割れを生ずることが懸念されている。したがって、この割れの発生を防止する目的で、開口部の４つのコーナーが曲線形状（アール形状）となるように加工することが知られている。すなわち、キッチン天板と呼ばれるシステムキッチン用のカウンター天板のコーナーにかかる応力を緩和するため、熱発生源取り付け用の開口部は、コーナーのアール（曲率）が大きくなるように形成されている。
【０００４】
また、例えば特開２００２−２２３８８１号公報には、ガスレンジ等の熱発生源の使用による温度変化に伴う伸び縮みの繰り返しによって、加工部からの割れが発生しない樹脂製キッチン天板が開示されている。この樹脂製キッチン天板は、図５に示すように、熱発生源を取り付けるための開口部２０１が形成されている樹脂製キッチン天板２００であって、上記開口部２０１の各々のコーナーには、表面から厚み方向に沿って伸びるくり抜き部２０２が形成されていることとしているので、くり抜き部２０２がＵ字形に形成されていることにより、より効果的に加熱冷却に伴う伸び縮みを吸収することにおいて、一応の開口部にクラックが発生することを防止する効果を奏している。
【０００５】
上記においては、予めくり抜き部を形成するようにしているため、レンジ開口部２０１のコーナーをＮＣ加工によりくり抜き加工する場合にあっては、特に、くり抜き部２０２の周辺部分に残留応力が発生し、キッチン天板２００の伸び縮みに伴うクラックの発生に悪い影響を与えることが懸念され、くり抜き部の周辺部分をとり除き、開口部の４隅において、一辺からくり抜き部を経て他辺に合致させるようにして、キッチン天板２００の伸び縮みに伴うくり抜き部周辺のクラック発生を防止させることも提案されている。しかしながら、カウンター天板に平面視Ｌ字状の切欠きを設け、キッチンボード等の什器を併設させる場合、このくり抜き部を形成する方法によると、カットに手間がかかることが想定される。
【特許文献１】特開２００２−２２３８８１号公報
【発明の開示】
【発明が解決しようとする課題】
【０００６】
本願発明は、上記背景技術に鑑みてなされたものであり、その課題は、カウンター天板に平面視Ｌ字状の切欠きカット加工を容易におこなってキッチンボード等の什器を併設できるカウンターへの什器設置構造を提供することである。
【課題を解決するための手段】
【０００７】
上記課題を解決するために、本願発明によるカウンターへの什器設置構造は、カウンター天板に平面視Ｌ字状の切欠きを設けてキッチンボード等の什器を併設させるという構成に対し、前記切欠きをＬ字の一辺から他辺へ連続カットし、その切断線が該一辺と他辺との交点からオーバーランしつつ曲線状に他辺に合致するように形成することを特徴としている。
【０００８】
そして、前記切欠きの曲線状部分を遮蔽する遮蔽部材を配設させるのが好ましい。
【発明の効果】
【０００９】
本願発明のカウンターへの什器設置構造は、カウンター天板に平面視Ｌ字状の切欠きを設けてキッチンボード等の什器を併設させる当該Ｌ字の切欠きが、その一辺から他辺への切断線が該一辺と他辺との交点からオーバーランしつつ曲線状に他辺に合致するよう連続カット形成されるので、カウンター天板に平面視Ｌ字状の切欠きカット加工が容易となる。
【００１０】
そして、Ｌ字の交点からオーバーランしつつ曲線状に他辺に合致するよう連続カット形成され曲線状部分のみ遮蔽部材が配設され遮蔽されるので、キッチンボード等の什器の併設が容易になるという役目を果たす。
【発明を実施するための最良の形態】
【００１１】
図１〜３は、本願の請求項１、２に対応した一実施形態であるカウンターへの什器設置構造を示している。この実施形態のカウンターへの什器設置構造は、カウンター天板１に平面視Ｌ字状の切欠き２を設けてキッチンボード等の什器５を併設させるカウンターへの什器設置構造であって、前記切欠き２をＬ字の一辺２１から他辺２２へ連続カットし、その切断線が該一辺２１と他辺２２との交点２３からオーバーランしつつ曲線状に他辺に合致するように形成している。
【００１２】
この場合、前記切欠き２の曲線状部分２ａを遮蔽する遮蔽部材３を配設させてもいる。
【００１３】
詳しくは、このカウンターへの什器設置構造は、例えば、台所空間とその台所空間に隣接するリビング／ダイニング／リビング・ダイニングルーム等の隣接部屋空間との間において、開放感の向上等を図ることのできる対面キッチンにおいて、カウンター天板１に什器５としてのシンクを併設させるカウンターへの什器設置構造であり、樹脂製である人工大理石製のカウンター天板１には、熱発生源取り付け用の開口部を設けてガスコンロなどの調理機器６が設けられ、さらに、平面視Ｌ字状の切欠き２を設けて同カウンター天板１と段違いに、什器５に相当するシンクが配設されている。また、このシンク及び上記ガスコンロ下方には収納キャビネット４、４がそれぞれ設けられており、シンク下方の収納キャビネット４の外側が切欠き２の切断端面と当接する。
【００１４】
遮蔽部材３は、接合部分が目立たないように遮蔽するものであり、背景技術の項において述べたものと同じく角材等の部材にて形成され、この場合、切欠き２の曲線状部分２ａのみに設けられている。遮蔽部材３は、従来、Ｌ字状の接合部分となる切欠きの一辺と他辺とを遮蔽するために、縦、横の２つの遮蔽部材を用いるという従来の構成と比べ、Ｌ字の交点からオーバーランしつつ曲線状に他辺に合致するよう連続カット形成され曲線状部分２ａのみ遮蔽部材３が配設され遮蔽されるので什器５の併設が容易となる。
【００１５】
次に、切欠き２を連続カットする方法について、図３に基づいて説明する。この場合、ＮＣルーターマシンを用いて、Ｌ字の一辺２１から他辺２２へ連続的に切削加工をおこない切欠き２を設けるにあたり、まず、什器５の併設位置を決め、カウンター天板１に対してＬ字の一辺２１からルーターにより切削を開始する。ＮＣルーターマシンにおいては、ルータービットが、図３に示す切断線の曲線状部分２ａとなる追いこみ寸法Ｈと同じ半径をもったものを用い、当該ルータービットが一辺２１と他辺２２との交点２３に到達した後、寸法Ｈ分、次第に後退しつつ他辺２２側へ寸法（Ｌ−Ｈ）分、切り進み、他辺２２へ連続的に切削加工をおこなう。これにより、切欠き２をＬ字の一辺２１から他辺２２へ、その切断線が該一辺２１と他辺２２との交点２３からオーバーランしつつ曲線状に他辺に合致するように連続カットし形成するのである。
【００１６】
したがって、以上説明したカウンターへの什器設置構造によると、カウンター天板１に平面視Ｌ字状の切欠き２を設けてキッチンボード等の什器５を併設させる当該Ｌ字の切欠き２が、その一辺２１から他辺２２への切断線が該一辺２１と他辺２２との交点２３からオーバーランしつつ曲線状に他辺に合致するよう連続カット形成されるので、カウンター天板１に平面視Ｌ字状の切欠き２を形成させるカット加工が容易となる。
【００１７】
そして、Ｌ字の交点２３からオーバーランしつつ曲線状に他辺に合致するよう連続カット形成され曲線状部分２ａのみ遮蔽部材３が配設され遮蔽されるので、キッチンボード等の什器５の併設が容易になるという役目を果たす。
【００１８】
なお、本発明は上記各実施例に限定されず、本発明の技術思想の範囲内において、各実施例は適宜変更され得ることは明らかである。
【図面の簡単な説明】
【００１９】
【図１】本願発明の一実施形態であるカウンターへの什器設置構造の概略構成を示す平面図。
【図２】同カウンターへの什器設置構造の要部である遮蔽部材の説明図。
【図３】同カウンターへの什器設置構造の切欠きの説明図。
【図４】従来例のカウンターへの什器設置構造全体を示す斜視図。
【図５】カウンター天板に開口を設ける加工の説明図。
【符号の説明】
【００２０】
１      カウンター天板
２      切欠き
２１      一辺
２２      他辺
２３      交点
２ａ      曲線状部分
３      遮蔽部材
５      什器
【図１】
2005334168.tif 000003
【図２】
2005334168.tif 000004
【図３】
2005334168.tif 000005
【図４】
2005334168.tif 000006
【図５】
2005334168.tif 000007